(57)【要約】【課題】音声合成音を利用する音声報知装置を電動機を応用した家庭電気機器に適用した場合、電動機やファンの回転騒音のため音声報知音が聞き取りにくい。【解決手段】モータ１９が駆動中に操作スイッチ１２にタッチすると制御装置１１は速度抑制手段１８に指示してモータ１９の回転数を低減し、その後に音声発生手段１６を駆動して、スピーカ６により操作スイッチ１２の操作に関わる音声報知を行い、操作スイッチ１２を操作する時に発生させる音声を聞き取りやすくすることができる。【選択図】図２
2007272024.tif 000002
【特許請求の範囲】
【請求項１】
操作スイッチを接続した制御装置と、前記制御装置で制御される音声発生手段とモータとを備えた電動機応用機器において、前記制御装置と前記モータ間に接続し、前記モータの速度を抑制する速度抑制手段を備え、前記制御装置は、前記音声発生手段を制御して音声を発生する期間において、前記モータの速度を抑制することを特徴とする電動機応用機器における音声報知装置。
【請求項２】
機器の異常等のイベントの発生を検知するセンサを接続した制御装置と、前記制御装置で制御される音声発生手段とモータとを備えた電動機応用機器において、前記制御装置と前記モータ間に接続し前記モータの速度を抑制する速度抑制手段を備え、前記制御装置は前記センサが機器の異常等のイベントの発生を検知して前記音声発生手段を制御して音声を発生する期間において、前記モータの速度を抑制することを特徴とする電動機応用機器における音声報知装置。
【請求項３】
前記制御装置は、前記速度抑制手段が前記モータの速度を抑制開始後の所定時間を待機した後に前記音声発生手段を駆動することを特徴とする請求項１もしくは２記載の電動機応用機器における音声報知装置。
【請求項４】
前記制御装置は、前記音声発生手段の発生する音量を調節する音量設定スイッチを入力として備え、前記速度抑制手段は前記モータの速度を抑制する複数の抑制レベルを保有し、前記制御装置は前記音声発生手段を制御して音声を発生する期間において、前記音量設定スイッチの設定値に応じた前記抑制レベルでモータの速度を抑制することを特徴とする請求項１もしくは２記載の電動機応用機器における音声報知装置。
【請求項５】
前記速度抑制手段は前記モータの速度を抑制する複数の抑制レベルを保有し、前記音声発生手段は複数の音声メッセージを収納し、前記制御装置は前記音声発生手段に前記複数の音声メッセージの中から特定メッセージの発生を指示するとともに、前記指示した特定メッセージに対応する抑制レベルで前記モータの速度を抑制することを特徴とする請求項１もしくは２記載の電動機応用機器における音声報知装置。
【請求項６】
前記制御装置は、前記センサがイベントの発生を検知することで前記音声発生手段を駆動して音声を発生している期間内は操作スイッチの操作の受付を禁止するようにした請求項２記載の電動機応用機器における音声報知装置。
【請求項７】
前記制御装置に接続した人感センサを備え、前記制御装置は前記人感センサが人を検知している時にのみ前記速度抑制手段を駆動して前記モータの速度を抑制することを特徴とする請求項１もしくは２記載の電動機応用機器における音声報知装置。
【請求項８】
前記制御装置は時計機能を備え、前記制御装置が制御する速度抑制手段の抑制レベルが深夜時間帯において他の時刻帯より低位に設定される請求項４もしくは５に記載の電動機応用機器における音声報知装置。
【請求項９】
請求項１〜８のいずれか１項記載の電動機応用機器における音声報知装置の機能の少なくとも一部をコンピュータに実行させる音声報知装置。
【発明の詳細な説明】
【技術分野】
【０００１】
本発明は、除湿機、加湿器、空気清浄機など電動機を応用する家庭用の電気機器において、操作の案内やフィルタの交換時期の案内などを音声合成音で使用者に告知する音声報知装置に関わるものである。
【背景技術】
【０００２】
従来、家庭用の電気機器における機器の状態の使用者に対する告知方法としては、ランプ表示や擬音（ピッピッなど）が用いられていたが、近年、半導体技術の発展に伴い、液晶表示素子での文字表示や特許文献１に示すような音声合成音でより詳細な情報を使用者に伝達する方法が採用され始めている。
【０００３】
この音声合成音で使用者に告知する方法は情報が多彩で詳細である反面、使用者が明瞭に聞き取れないと、かえって情報伝達ができない欠点がある。
【０００４】
特に、電動機（以下モータ）を応用した加湿器、除湿機、空気清浄機などの機器は、モータの回転音もしくは、モータで駆動されるファンの風切り音が騒音として音声報知音を聞き取りにくくしている。
【０００５】
そこで、音声報知音を聞き取りやすくする方法として特許文献２に示すようなものが提案されている。
【０００６】
特許文献２に示すものは、騒音を検知するセンサを設けて、センサが検知する騒音値より大きい音量で音声報知を行うものである。
【特許文献１】特開平８−３５７１７号公報
【特許文献２】特開昭６２−１８９５９７号公報
【発明の開示】
【発明が解決しようとする課題】
【０００７】
しかしながら、特許文献２に示す方法では、機器の音声合成装置が発生させる音声音量の上限値を上回る騒音がある場合には音声の認識が困難になる欠点がある。また、騒音値が音声音量の上限値を上回ることがないように機器の音声音量値を大きく設定すると、機器自体が騒音源になるおそれが発生する課題があった。
【０００８】
本発明は以上の欠点や課題を解決した音声報知装置を提供することを目的とする。
【課題を解決するための手段】
【０００９】
本発明の音声報知装置は上記目的を達成するために、操作スイッチを接続した制御装置と制御装置で制御される音声発生手段とモータとを備えた電動機応用機器において、制御装置とモータ間に接続した速度抑制手段を備え、制御装置は音声発生手段を制御して音声を発生する期間において、速度抑制手段によりモータの速度を抑制することを特徴とする。
【００１０】
このことにより、操作スイッチを操作する時に発生させる音声を聞き取りやすくすることができる。
【００１１】
また、本発明の音声報知装置は上記目的を達成するために、機器の異常等のイベントの発生を検知するセンサを接続した制御装置と制御装置で制御される音声発生手段とモータとを備えた電動機応用機器において、制御装置とモータ間に接続した速度抑制手段を備え、制御装置はセンサが機器の異常等のイベントの発生を検知して音声発生手段を制御して音声を発生する期間において、速度抑制手段によりモータの速度を抑制することを特徴とする。
【００１２】
このことにより、イベント発生時に発生させる音声を聞き取りやすくすることができる。
【発明の効果】
【００１３】
本発明によれば機器に大音量値の音声発生手段を用いることなく、使用者に対し告知内容を明瞭に伝達可能な電動機応用機器における音声報知装置を提供できる。
【発明を実施するための最良の形態】
【００１４】
本発明の請求項１記載の発明は、操作スイッチを接続した制御装置と制御装置で制御される音声発生手段とモータとを備えた電動機応用機器において、制御装置とモータ間に接続しモータの速度を抑制する速度抑制手段を備え、制御装置は音声発生手段を制御して音声を発生する期間はモータの速度を抑制することを特徴とする音声報知装置である。
【００１５】
このことにより、操作スイッチを操作する時に発生させる音声を聞き取りやすくすることができる。
【００１６】
本発明の請求項２記載の発明は、機器の異常等のイベントの発生を検知するセンサを接続した制御装置と制御装置で制御される音声発生手段とモータとを備えた電動機応用機器において、制御装置とモータ間に接続しモータの速度を抑制する速度抑制手段を備え、制御装置はセンサが機器の異常等のイベントの発生を検知して音声発生手段を制御して音声を発生する期間はモータの速度を抑制することを特徴とする音声報知装置である。
【００１７】
このことにより、イベント発生時に発生させる音声を聞き取りやすくすることができる。
【００１８】
本発明の請求項３記載の発明は、請求項１もしくは２記載の音声報知装置において、制御装置は、速度抑制手段がモータの速度を抑制開始後の所定時間を待機した後に音声発生手段を駆動することを特徴とする。
【００１９】
このことにより、音声をより聞き取りやすくできる。
【００２０】
本発明の請求項４記載の発明は、請求項１もしくは２記載の音声報知装置において、制御装置は音声発生手段の発生する音量を調節する音量設定スイッチを入力として備え、速度抑制手段はモータの速度を抑制する複数の抑制レベルを保有し、制御装置は音声発生手段を制御して音声を発生する期間は音量設定スイッチの設定値に応じた抑制レベルでモータの速度を抑制することを特徴とする音声報知装置である。
【００２１】
このことにより、音声をより聞き取りやすくできる。
【００２２】
本発明の請求項５記載の発明は、請求項１もしくは２記載の音声報知装置において、速度抑制手段はモータの速度を抑制する複数の抑制レベルを保有し、音声発生手段は複数の音声メッセージを収納し、制御装置は音声発生手段に複数の音声メッセージの中から特定メッセージの発生を指示するとともに、指示した特定メッセージに対応する抑制レベルでモータの速度を抑制することを特徴とする音声報知装置である。
【００２３】
このことにより、緊急性のある音声の場合はモータの速度をより大きく抑制してより聞き取りやすくできる。
【００２４】
本発明の請求項６記載の発明は、請求項２記載の音声報知装置において、制御装置はセンサがイベントの発生を検知することで音声発生手段を駆動して音声を発生している期間内は操作スイッチの操作の受付を禁止するようにしたことを特徴とする音声報知装置である。
【００２５】
このことにより、機器の騒音レベルを安定に維持でき、このため音声をより聞き取りやすくできる。
【００２６】
本発明の請求項７記載の発明は、請求項１もしくは２記載の音声報知装置において、制御装置に接続した人感センサを備え、制御装置は人感センサが人を検知している時にのみ速度抑制手段を駆動してモータの速度を抑制することを特徴とする音声報知装置である。
【００２７】
このことにより、不必要な機能の抑制がない。
【００２８】
本発明の請求項８記載の発明は、請求項４もしくは５記載の音声報知装置において、制御装置は時計機能を備え、制御装置が制御する速度抑制手段の抑制レベルが深夜時間帯において他の時刻帯より低位に設定されることを特徴とする音声報知装置である。
【００２９】
このことにより、騒音が少ない時間帯では機器を必要以上に機能抑制することがない。
【００３０】
以下、本発明の実施の形態について図面を参照しながら説明する。
【００３１】
（実施の形態１）
図１は本発明が適用される除湿装置の外観図である。
【００３２】
電動機応用機器の一例として除湿装置１は、貯水タンク２を搭載し、吸気口３と吹出口４を有している。さらに運転スイッチや運転ランプなどの操作表示部５と音声を発生するスピーカ６および赤外線式の人感センサ７を有している。
【００３３】
除湿装置１の内部にはモータ１９と、このモータ１９で駆動されるファンと、空気中の水分を吸着する吸湿材と、吸湿材から水分を放出するため吸湿材を加熱再生するための再生ヒータと、吸湿材から放出される水分を凝縮させる凝縮器やエアフィルタなどが収納されている（いずれも符号のなきものは図示しない）。
【００３４】
モータ１９を駆動することにより、室内の多湿空気を吸気口３から取り込んで吸湿材で空気中の水分を吸着し、吹出口４から除湿された空気を排出して室内を除湿する。操作表示部５においては、使用者が運転の発停や、強弱運転の切り替え、タイマー運転の設定などを行うとともにそれらに関するランプ表示が行われる。
【００３５】
この使用者の操作に関わる部分での音声による報知は、例えばタイマーの設定や、その確認に用いることで使用性が格段に向上する。
【００３６】
また、貯水タンクの貯水量の報知や、エアフィルタの清掃の督促や、万一の故障時の故障箇所の報知などにも効果的である。
【００３７】
図２は本発明の実施の形態の構成を示す図である。
【００３８】
制御装置１１にはスタートスイッチや停止スイッチなどの複数のボタンからなる操作スイッチ１２と貯水タンク２の貯水量が多くなったことを検知する貯水タンクセンサ１３と図１で説明した人感センサ７および音量設定スイッチ１４が入力として接続されている。
【００３９】
さらに制御装置１１の出力として、運転ランプや時計など表示装置１５と図１で説明したスピーカ６を付加した音声発生手段１６と速度制御手段１７および速度抑制手段１８が接続されている。この速度制御手段１７と速度抑制手段１８はそれぞれモータ１９に接続される。
【００４０】
ここで、音声発生手段１６は、例えば複数の音声合成音を収納した半導体ＩＣ（集積回路）であり、その内部には制御装置１１の指示する音声合成音を、指示する増幅度に増幅する増幅回路も収納している。
【００４１】
また、モータ１９の回転数を制御する速度制御手段１７と速度抑制手段１８は例えばパルス幅変調（ＰＷＭ）式の可変電圧直流電源が用いられる。
【００４２】
また、制御装置１１は、図示しないがマイコン（マイクロコンピュータ）とカレンダーＩＣとカレンダーＩＣを停電時にバックアップする電池および、入出力のインタフェースのためのシランジスタ等の電子部品で構成されている。
【００４３】
図３は制御装置１１のマイコン内のＲＯＭに記憶されたデータを示す図である。
【００４４】
図３（ａ）は音量設定スイッチ１４の音量設定のレベル（音量レベル）とモータの速度（速度係数）の関係を示すデータである。図３（ｂ）は音声発生手段１６に収納されている音声のメッセージ種とモータの速度の関係を示すデータである。
【００４５】
以下、図１〜３を参照しながら図４〜６を用いて動作を説明する。
【００４６】
図４〜５は動作を説明するためのフローチャートである。
【００４７】
まず図４について説明する。
【００４８】
この図は図２の操作スイッチ１２の操作に関わる動作についてのフローチャートである。
【００４９】
Ｓ（ステップ）１おいて、使用者は操作スイッチ１２を操作して運転メニューを選択する。この運転メニーは前述のような強弱の選択などでこの場合「強」で説明する。
【００５０】
ここで、「強」と「中」と「弱」でのモータの速度はそれぞれ全速の１．０と０．９と０．８倍で設定されているものとして話を進める。
【００５１】
Ｓ２において、制御装置１１は音量設定スイッチ１４の設定を読み込む。ここでは図３（ａ）の音量レベル３に設定したとする。次にＳ３においてスタートスイッチが押されるとＳ４で制御装置１１は速度制御手段１７に指示して所定速度（全速）でモータ１９を駆動する。
【００５２】
次にＳ５で使用者が操作スイッチ１２を操作して運転を「弱」に設定変更すると制御装置１１はまず、Ｓ６で速度制御手段１７を解除し、替わって速度抑制手段１８に指示してモータ１９の速度を抑制する。
【００５３】
この時、制御装置１１は、その内部のカレンダーを照合してモータ速度を図３（ａ）示のように通常時間帯であれば全速の０．６倍、深夜時間帯（例えば時刻２３時〜６時）であれば全速の０．７倍に抑制する。
【００５４】
次にＳ７で制御装置１１は内部のタイマーにより所定時間（たとえば１〜２秒間）待機した後のＳ８において、音声発生手段１６に指示してスピーカ６から「音量レベル３」の音声メッセージ（たとえば「弱に切り替えました」）を発生させる。
【００５５】
この音声メッセージが終了するとＳ９で制御装置１１はモータ１９の速度を本来の「弱」運転の速度（例えば全速の０．８倍）に復帰させる。
【００５６】
なおＳ７での所定時間待機はモータの速度が抑制される時間遅れに見合うようにしたものである。また、Ｓ８での音声メッセージも、制御装置１１に湿度センサを接続すれば、例えば「ただいまの湿度は６０％です」といったメッセージを発生させて使用者に部屋の状況を伝達できる。
【００５７】
またＳ６において、深夜時間帯でモータの抑制レベルが通常時間帯（深夜帯以外）にくらべ小さい（低位）のは深夜時間帯では周囲騒音が小さく音声メッセージが聞き取り易くなるためである。
【００５８】
次に図５について説明する。
【００５９】
この図は図２の貯水タンクセンサ１３に関わる動作についてのフローチャートである。
【００６０】
Ｓ１１〜Ｓ１４については前述の図４のＳ１〜Ｓ４にそれぞれ対応して同じなので説明を省略する。
【００６１】
Ｓ１５において、貯水タンクセンサ１３が貯水タンク２内の貯水量が多くなったことを検知すると制御装置１１は、Ｓ１６でモータ速度を低減すると同時に操作スイッチ１２の操作の受付を禁止する。
【００６２】
Ｓ１７において所定時間待機し、Ｓ１８で例えば「タンクの水を排水してください」といった音声報知を行う。
【００６３】
次にＳ１９で再びモータ速度を元の速度に復帰させるとともに操作スイッチ１２の操作の受付禁止を解除する。
【００６４】
ここで、Ｓ１６でのモータ速度の低減の程度が図４の場合と異なるのでこれを説明する。
【００６５】
すなわち、Ｓ１６では制御装置１１は、その内部に記憶している図３（ｂ）示のデータをも参照してモータ１９の速度を決定する。例えば図３（ａ）の説明で前述した音量レベルが３で通常時間帯の場合であればモータ速度は全速の０．６（深夜帯であれば０．７）倍であったが、貯水タンクセンサの動作に関わる場合は、図３（ｂ）の速度係数０．８を加味して０．６×０．８＝０．４８の係数を演算し、これによりモータ速度を指示し、モータは全速の０．４８倍（深夜帯であれば０．７×０．８＝０．５６）に低減された速度で運転される。このためモータ１９の騒音レベルがより低くなり音声メッセージがより聞き取り易くすることができる。
【００６６】
このように制御装置１１が音声発生手段１６に指示するメッセージ種に対応して抑制するモータ１９の速度を替えることで緊急性のあるメッセージをより確実に使用者に伝達することが可能になる。
【００６７】
また、Ｓ１６〜Ｓ１９の期間、操作スイッチ１２の操作の受付を禁止することで、音声報知中にモータの速度が変化して報知音が聞きづらくなることを防止できる。
【００６８】
最後に図６について説明する。
【００６９】
この図は図２の人感センサ７に関わる動作についてのフローチャートである。
【００７０】
Ｓ２１〜Ｓ２５については前述の図５のＳ１１〜Ｓ１５にそれぞれ対応して同じ場合（貯水タンクセンサ１３が検知動作した場合）として説明するので、この部の説明を省略する。
【００７１】
Ｓ２５で貯水タンクセンサ１３が貯水タンク２内の貯水量が多くなったことを検知すると制御装置１１は、Ｓ２６で人感センサ７が人を検知しているかをチェックする。
【００７２】
もし、人がいなければ特になにもせずにそのまま運転を続けるが、人を検知している場合はＳ２７でモータ速度を低減し、Ｓ２８において所定時間待機し、Ｓ２９で例えば「タンクの水を排水してください」といった音声報知を行って、Ｓ３０で再びモータ速度を元の速度に復帰させる図５で説明したと同様の一連の動作を行う。
【００７３】
従って、人がいない場合は音声メッセージが発生されないが、貯水タンク２内の貯水量が多くなったこと自体は制御装置１１に記憶されており、人が除湿装置の周辺に近づいた時に「タンクの水を排水してください」の音声メッセージが発生するので使用者に確実にメッセージを伝達できる。
【００７４】
以上の図４〜図６で説明した動作は、制御装置１１の前述のマイコンにおいて、ＲＯＭやＲＡＭやカウンターなどが共働するマイコンのプログラムの形態で実施される。
【００７５】
なお、図２の本発明の構成において、速度制御手段１７と速度抑制手段１８とでモータ１９を制御する構成で説明したが、速度制御手段１７で速度抑制手段１８を兼ねてもよく、速度制御手段１７を必要としない機器にあっては速度抑制手段１８のみの構成としてもよい。
【産業上の利用可能性】
【００７６】
本発明の電動機応用機器における音声報知装置は、機器に大音量値の音声発生手段を用いることなく、使用者に対し告知内容を明瞭に伝達できるので、家庭用の電動機応用機器の他、業務用の電気機器にも適用できる。
【図面の簡単な説明】
【００７７】
【図１】本発明が適用される除湿装置の外観図
【図２】本発明の実施の形態の構成を示す図
【図３】制御装置に記憶されているデータを示す図
【図４】同動作を説明するためのフローチャート
【図５】同動作を説明するためのフローチャート
【図６】同動作を説明するためのフローチャート
【符号の説明】
【００７８】
１    除湿装置（電動機応用機器）
６    スピーカ
７    人感センサ
１１  制御装置
１２  操作スイッチ
１３  貯水タンクセンサ
１４  音量設定スイッチ
１６  音声発生手段
１７  速度制御手段
１８  速度抑制手段
１９  モータ
【図１】
2007272024.tif 000003
【図２】
2007272024.tif 000004
【図３】
2007272024.tif 000005
【図４】
2007272024.tif 000006
【図５】
2007272024.tif 000007
【図６】
2007272024.tif 000008